(57)【要約】【課題】冷媒の搬送能力を適切な状態に設定し得る高低差設定システムを提供する。【解決手段】高低差設定システム１は、複数の構成要素から実現され、構成要素間で情報が通信されることで、建物６に設置される空調機７を構成する室外機８及び室内機９の高低差を設定する。高低差設定システム１は、室外機高さ情報取得部２、室内機高さ情報取得部３、高低差設定部４、及び搬送能力調整部５として機能する構成要素を有する。室外機高さ情報取得部２及び室内機高さ情報取得部３は、それぞれ室外機８の設置場所の高さを示す室外機高さ情報、及び室内機９の設置場所の高さを示す室内機高さ情報を取得する。高低差設定部４は、室外機高さ情報及び室内機高さ情報に基づいて、室外機及び室内機の高低差を設定する。搬送能力調整部５は、高低差設定部４により設定された高低差に基づいて、室外機から室内機に搬送する冷媒の搬送能力を調整する。【選択図】図１
2018173210.tif 000002
【特許請求の範囲】
【請求項１】
室外機（８，８Ａ）と、前記室外機に関連付けられた１以上の室内機（９，９Ａ）との高低差が、前記室外機及び前記室内機のいずれか一方又は両方と通信する管理装置（４０Ａ）により設定される高低差設定システム（１，１Ａ）であって、
前記室外機の設置場所の高さを示す室外機高さ情報を取得する室外機高さ情報取得部（２，２３Ａ）と、
前記室内機の設置場所の高さを示す室内機高さ情報を取得する室内機高さ情報取得部（３，１３Ａ）と、
前記室外機高さ情報及び前記室内機高さ情報に基づいて、前記室外機及び前記室内機の高低差を設定する高低差設定部（４，４２１Ａ）と、
前記高低差設定部により設定された高低差に基づいて、前記室外機から前記室内機に搬送する冷媒の搬送能力を調整する搬送能力調整部（５，２２２Ａ）と、
を備え、
前記室外機高さ情報取得部及び前記搬送能力調整部は、前記室外機に配置され、
前記室内機高さ情報取得部は、前記室内機に配置され、
前記高低差設定部は、前記管理装置に配置される、
高低差設定システム。
【請求項２】
室外機（８，８Ｂ）と、前記室外機に関連付けられた１以上の室内機（９，９Ｂ）との高低差が、前記室外機及び前記室内機と通信可能な所定の通信端末（５０Ｂ）を用いて設定される高低差設定システム（１，１Ｂ）であって、
前記室外機の設置場所の高さを示す室外機高さ情報を取得する室外機高さ情報取得部（２，５３Ｂ）と、
前記室内機の設置場所の高さを示す室内機高さ情報を取得する室内機高さ情報取得部（３，５４Ｂ）と、
前記室外機高さ情報及び前記室内機高さ情報に基づいて、前記室外機及び前記室内機の高低差を設定する高低差設定部（４，２２１Ｂ）と、
前記高低差設定部により設定された高低差に基づいて、前記室外機から前記室内機に搬送する冷媒の搬送能力を調整する搬送能力調整部（５，２２２Ｂ）と、
を備え、
前記室外機高さ情報取得部及び前記室内機高さ情報取得部は、前記通信端末に配置され、
前記高低差設定部及び前記搬送能力調整部は、前記室外機に配置される、
高低差設定システム。
【請求項３】
前記室内機高さ情報が、前記通信端末から前記室内機を経由して前記室外機に送信される、
請求項２に記載の高低差設定システム。
【請求項４】
前記室内機には、周辺機器と無線通信が可能なリモートコントローラ（９ａ）が接続されており、
前記室内機高さ情報が、前記通信端末から前記リモートコントローラに無線通信を介して送信され、前記リモートコントローラ及び前記室内機を経由して前記室外機に送信される、
請求項２に記載の高低差設定システム。
【請求項５】
前記室外機及び前記室内機は、前記室外機と通信する管理装置（４０Ｂ）により管理されるものであり、
前記管理装置は、所定の通信端末と通信可能なものであり、
前記室外機高さ情報取得部及び前記室内機高さ情報取得部は、前記通信端末に配置され、
前記高低差設定部は、前記室外機に配置され、
前記室外機高さ情報及び前記室内機高さ情報が、前記通信端末から前記管理装置を経由して前記室外機に送信される、
請求項２から４のいずれか１項に記載の高低差設定システム。
【請求項６】
前記室内機には対応する室内機高さ情報を含む二次元コードが表示されており、
前記室内機高さ情報取得部は、前記二次元コードを読み取ることにより、前記室内機高さ情報を取得する、
請求項５に記載の高低差設定システム。
【請求項７】
室外機（８，８Ｃ）と、前記室外機に関連付けられた１以上の室内機（９，９Ｃ）との高低差が、前記室外機及び前記室内機のいずれか一方又は両方と通信する管理装置（４０Ｃ）により設定される高低差設定システム（１，１Ｃ）であって、
前記室外機の設置場所の高さを示す室外機高さ情報を取得する室外機高さ情報取得部（２，４２２Ｃ）と、
前記室内機の設置場所の高さを示す室内機高さ情報を取得する室内機高さ情報取得部（３，４２３Ｃ）と、
前記室外機高さ情報及び前記室内機高さ情報に基づいて、前記室外機及び前記室内機の高低差を設定する高低差設定部（４，２２１Ｃ）と、
前記高低差設定部により設定された高低差に基づいて、前記室外機から前記室内機に搬送する冷媒の搬送能力を調整する搬送能力調整部（５，２２２Ｃ）と、
前記室外機及び前記室内機が設置される建物の設計情報（Ｌ）を記憶する設計情報記憶部（４３Ｃ）と、
を備え、
前記室外機高さ情報取得部及び前記室内機高さ情報取得部は、前記設計情報に基づいて前記室外機高さ情報及び前記室内機高さ情報を取得するものであり、
前記設計情報記憶部、前記室外機高さ情報取得部、及び前記室内機高さ情報取得部は、前記管理装置に配置され、
前記高低差設定部及び前記搬送能力調整部は、前記室外機に配置される、
高低差設定システム。
【請求項８】
前記設計情報記憶部は、前記設計情報として、前記室外機及び前記室内機に対して事前に設定された第２識別情報（Ｄ２）を記憶するものであり、
前記室外機高さ情報取得部及び前記室内機高さ情報取得部は、前記設計情報から、前記室外機及び前記室内機に対して事前に設定された第２識別情報、並びに、前記第２識別情報に関連付けられた室外機高さ情報及び室内機高さ情報を取得するものであり、
前記室外機及び前記室内機を前記建物に設置する際に、前記室外機及び前記室内機のそれぞれに第１識別情報（Ｄ１）を設定する識別情報設定部（３２１Ｃ）と、
前記第２識別情報を前記第１識別情報に変換して、前記第１識別情報に関連付けられた室外機高さ情報及び室内機高さ情報を取得する識別情報変換部（４２４Ｃ）と、
をさらに備え、
前記識別情報設定部が、前記室外機及び前記管理装置に接続される設定装置に配置され、
前記識別情報変換部が、前記管理装置に配置される、
請求項７に記載の高低差設定システム。
【請求項９】
前記室内機（９，９Ｄ）の運転状況を監視する監視部（２２３Ｄ）と、
前記運転状況に基づいて、前記室外機と前記室内機との高低差を再設定する再設定部（２２４Ｄ）と、
をさらに備え、
前記搬送能力調整部が、前記再設定部により再設定された高低差に基づいて、前記室外機から前記室内機に搬送する冷媒の搬送能力を調整する、
請求項１から８に記載の高低差設定システム（１，１Ｄ）。
【請求項１０】
請求項２から４のいずれか１項に記載の高低差設定システム（１Ｂ）で用いられる前記通信端末を動作させるための通信端末プログラム（Ｐ）であって、前記通信端末のコンピュータを、前記室外機及び前記室内機と通信する通信部（５１Ｂ）、前記室外機高さ情報取得部（５３Ｂ）、及び前記室内機高さ情報取得部（５４Ｂ）、として機能させるための通信端末プログラム。
【請求項１１】
請求項５又６に記載の高低差設定システム（１Ｂ）で用いられる前記通信端末を動作させるための通信端末プログラム（Ｐ）であって、前記通信端末のコンピュータを、前記管理装置（４０Ｂ）と通信する通信部（５１Ｂ）、前記室外機高さ情報取得部（５３Ｂ）、及び前記室内機高さ情報取得部（５４Ｂ）、として機能させるための通信端末プログラム。
【発明の詳細な説明】
【背景技術】
【０００１】
従来、空調機を設置する際に、室内機と室外機との間に高低差が存在する場合、高低差の影響を考慮して冷媒の搬送能力が調整される。具体的には、室内機と室外機との間に高低差が存在する場合には、高低差が存在しない場合よりも、冷媒の搬送能力を高くする（例えば、特許文献１（特開平１０−１５３３３５号公報）参照）。
【発明の概要】
【発明が解決しようとする課題】
【０００２】
しかしながら、室内機と室外機との間の高低差を考慮して冷媒の搬送能力を調整するためには、以下の事項に留意する必要がある。まず、（１）高低差設定のための入力工数が必要となる。また、（２）現地作業員が高低差設定を行なう際に入力ミスをすることがある。また、（３）現地作業員により高低差設定が行なわれないことがある。また、（４）一度、高低差設定を行なったとしても、室内機の運転状況によっては、冷媒の搬送能力が不適切な状態となることがある。
【０００３】
そして、これらの事項に起因して、高低差設定が適切に行われていない場合、冷媒の搬送能力が不適切な状態になる。結果として、空調機の冷房能力及び暖房能力を維持できないことがある。
【０００４】
本発明の課題は、冷媒の搬送能力を適切な状態に設定し得る高低差設定システムを提供することである。
【課題を解決するための手段】
【０００５】
本発明の第１観点に係る高低差設定システムは、室外機と、室外機に関連付けられた１以上の室内機との高低差が、室外機及び室内機のいずれか一方又は両方と通信する管理装置により設定される。この高低差設定システムは、室外機高さ情報取得部と、室内機高さ情報取得部と、高低差設定部と、搬送能力調整部と、を備える。室外機高さ情報取得部は、室外機の設置場所の高さを示す室外機高さ情報を取得する。室内機高さ情報取得部は、室内機の設置場所の高さを示す室内機高さ情報を取得する。高低差設定部は、室外機高さ情報及び室内機高さ情報に基づいて、室外機及び室内機の高低差を設定する。搬送能力調整部は、高低差設定部により設定された高低差に基づいて、室外機から室内機に搬送する冷媒の搬送能力を調整する。そして、この高低差設定システムでは、室外機高さ情報取得部及び搬送能力調整部が、室外機に配置される。また、室内機高さ情報取得部が、室内機に配置される。また、高低差設定部が、管理装置に配置される。
【０００６】
第１観点に係る高低差設定システムは、管理装置を利用して、室外機及び室内機の高低差設定を行なうことができる。これにより、高低差設定システムは、その高低差設定に基づいて、冷媒の搬送能力を適切な状態に設定することができる。
【０００７】
本発明の第２観点に係る高低差設定システムは、室外機と、室外機に関連付けられた１以上の室内機との高低差が、室外機及び室内機と通信可能な所定の通信端末を用いて設定される。この高低差設定システムは室外機高さ情報取得部と、室内機高さ情報取得部と、高低差設定部と、搬送能力調整部と、を備える。室外機高さ情報取得部は、室外機の設置場所の高さを示す室外機高さ情報を取得する。室内機高さ情報取得部は、室内機の設置場所の高さを示す室内機高さ情報を取得する。高低差設定部は、室外機高さ情報及び室内機高さ情報に基づいて、室外機及び室内機の高低差を設定する。搬送能力調整部は、高低差設定部により設定された高低差に基づいて、室外機から室内機に搬送する冷媒の搬送能力を調整する。そして、この高低差設定システムでは、室外機高さ情報取得部及び室内機高さ情報取得部が、通信端末に配置される。また、高低差設定部及び搬送能力調整部が、室外機に配置される。
【０００８】
第２観点に係る高低差設定システムは、上記構成を具備するので、通信端末を利用して室外機高さ情報及び室内機高さ情報を取得できる。これにより、高低差設定システムは、室外機高さ情報及び室内機高さ情報に基づいて、室外機及び室内機の高低差を設定できるので、その高低差に基づいて冷媒の搬送能力を適切な状態に設定することができる。
【０００９】
本発明の第３観点に係る高低差設定システムは、第２観点に係る高低差設定システムにおいて、室内機高さ情報が、通信端末から室内機を経由して室外機に送信される。
【００１０】
第３観点に係る高低差設定システムでは、通信端末を利用して室外機高さ情報及び室内機高さ情報を取得できる。
【００１１】
本発明の第４観点に係る高低差設定システムは、第２観点に係る高低差設定システムにおいて、室内機には、周辺機器と無線通信が可能なリモートコントローラが接続されている。また、室内機高さ情報が、通信端末からリモートコントローラに無線通信を介して送信され、リモートコントローラ及び室内機を経由して室外機に送信される。
【００１２】
第４観点に係る高低差設定システムでは、リモートコントローラを経由して室内機高さ情報を取得できる。
【００１３】
本発明の第５観点に係る高低差設定システムは、第２観点から第４観点の高低差設定システムにおいて、室外機及び室内機は、室外機と通信する管理装置により管理されるものである。また、管理装置は、所定の通信端末と通信可能なものである。そして、この高低差設定システムでは、室外機高さ情報取得部及び室内機高さ情報取得部が、通信端末に配置される。また、高低差設定部が、室外機に配置される。また、室外機高さ情報及び室内機高さ情報が、通信端末から管理装置を経由して室外機に送信される。
【００１４】
第５観点に係る高低差設定システムでは、管理装置及び通信端末を利用して、室外機高さ情報及び室内機高さ情報を取得できる。これにより、室外機及び室内機と通信しない通信端末を利用することができる。
【００１５】
本発明の第６観点に係る高低差設定システムは、第５観点の高低差設定システムにおいて、室内機には対応する室内機高さ情報を含む二次元コードが表示されている。そして、室内機高さ情報取得部が、二次元コードを読み取ることにより、室内機高さ情報を取得する。
【００１６】
第６観点に係る高低差設定システムでは、二次元コード（ＱＲコード（登録商標）等）を利用して、室内機高さ情報を取得できる。これにより、室内機高さ情報を容易に取得できるので、現地作業員等の作業負荷を軽減できる。
【００１７】
本発明の第７観点に係る高低差設定システムは、室外機と、室外機に関連付けられた１以上の室内機との高低差が、室外機及び室内機のいずれか一方又は両方と通信する管理装置により設定される。この高低差設定システムは、室外機高さ情報取得部と、室内機高さ情報取得部と、高低差設定部と、搬送能力調整部と、設計情報記憶部と、を備える。室外機高さ情報取得部は、室外機の設置場所の高さを示す室外機高さ情報を取得する。室内機高さ情報取得部は、室内機の設置場所の高さを示す室内機高さ情報を取得する。高低差設定部は、室外機高さ情報及び室内機高さ情報に基づいて、室外機及び室内機の高低差を設定する。搬送能力調整部は、高低差設定部により設定された高低差に基づいて、室外機から室内機に搬送する冷媒の搬送能力を調整する。設計情報記憶部は、室外機及び室内機が設置される建物の設計情報を記憶する。また、室外機高さ情報取得部及び室内機高さ情報取得部は、設計情報に基づいて室外機高さ情報及び室内機高さ情報を取得する。そして、この高低差設定システムでは、設計情報記憶部、室外機高さ情報取得部、及び室内機高さ情報取得部が、管理装置に配置される。また、高低差設定部及び搬送能力調整部は、室外機に配置される。
【００１８】
第７観点に係る高低差設定システムでは、建物の設計情報に基づいて室外機及び室内機の高低差を設定できる。これにより、高低差設定システムは、室外機高さ情報及び室内機高さ情報に基づいて、室外機及び室内機の高低差を設定できるので、その高低差に基づいて冷媒の搬送能力を適切な状態することができる。
【００１９】
本発明の第８観点に係る高低差設定システムは、第７観点に係る高低差設定システムにおいて、設計情報記憶部が、設計情報として、室外機及び室内機に対して事前に設定された第２識別情報を記憶するものである。そして、室外機高さ情報取得部及び室内機高さ情報取得部は、設計情報から、室外機及び室内機に対して事前に設定された第２識別情報、並びに、第２識別情報に関連付けられた室外機高さ情報及び室内機高さ情報を取得する。また、高低差設定システムは、識別情報設定部と、識別情報変換部と、をさらに備える。識別情報設定部は、室外機及び室内機を建物に設置する際に、室外機及び室内機のそれぞれに第１識別情報を設定する。識別情報変換部は、第２識別情報を第１識別情報に変換して、第１識別情報に関連付けられた室外機高さ情報及び室内機高さ情報を取得する。そして、この高低差設定システムでは、識別情報設定部が、室外機及び管理装置に接続される設定装置に配置される。また、識別情報変換部が、管理装置に配置される。
【００２０】
第８観点に係る高低差設定システムでは、建物の設計情報から事前に設定された第２識別情報を、現地作業員等が設定した第１識別情報に変換するので、第２識別情報と第１識別情報とが同一でないときでも冷媒の搬送能力を適切な状態に設定できる。
【００２１】
本発明の第９観点に係る高低差設定システムは、第１観点から第８観点に係る高低差設定システムにおいて、監視部と、再設定部と、をさらに備える。監視部は、室内機の運転状況を監視する。再設定部は、運転状況に基づいて、室外機と室内機との高低差を再設定する。そして、搬送能力調整部が、再設定部により再設定された高低差に基づいて、室外機から室内機に搬送する冷媒の搬送能力を調整する。
【００２２】
第９観点に係る高低差設定システムでは、室内機の運転状況に応じて高低差を再設定するので、室内機の運転状況に応じて冷媒の搬送能力を最適化できる。
【００２３】
本発明の第１０観点に係る通信端末プログラムは、第２観点から第４観点の高低差設定システムで用いられる通信端末を動作させるためのプログラムである。この通信端末プログラムは、通信端末のコンピュータを、室外機及び室内機と通信する通信部、室外機高さ情報取得部、及び室内機高さ情報取得部、として機能させる。
【００２４】
第１０観点に係る通信端末プログラムは、通信端末にインストールされることにより、室外機高さ情報及び室内機高さ情報を取得可能な通信端末を提供できる。
【００２５】
本発明の第１１観点に係る通信端末プログラムは、第５観点又第６観点の高低差設定システムで用いられる通信端末を動作させるためのプログラムである。この通信端末プログラムは、通信端末のコンピュータを、管理装置と通信する通信部、室外機高さ情報取得部、及び室内機高さ情報取得部、として機能させる。
【００２６】
第１１観点に係る通信端末プログラムは、通信端末にインストールされることにより、室外機高さ情報及び室内機高さ情報を取得し、それらの情報を管理装置に送信することが可能な通信端末を提供できる。
【発明の効果】
【００２７】
第１観点に係る高低差設定システムは、冷媒の搬送能力を適切な状態に設定することができる。
【００２８】
第２観点に係る高低差設定システムは、冷媒の搬送能力を適切な状態に設定することができる。
【００２９】
第３観点に係る高低差設定システムでは、通信端末を利用して室外機高さ情報及び室内機高さ情報を取得できる。
【００３０】
第４観点に係る高低差設定システムでは、リモートコントローラを経由して室内機高さ情報を取得できる。
【００３１】
第５観点に係る高低差設定システムでは、管理装置及び通信端末を利用して、室外機高さ情報及び室内機高さ情報を取得できる。
【００３２】
第６観点に係る高低差設定システムでは、室内機高さ情報を容易に取得できる。
【００３３】
第７観点に係る高低差設定システムでは、建物の設計情報に基づいて室外機及び室内機の高低差を設定できる。
【００３４】
第８観点に係る高低差設定システムでは、冷媒の搬送能力を適切な状態に設定できる。
【００３５】
第９観点に係る高低差設定システムでは、室内機の運転状況に応じて冷媒の搬送能力を最適化できる。
【００３６】
第１０観点に係る通信端末プログラムは、室外機高さ情報及び室内機高さ情報を取得可能な通信端末を提供できる。
【００３７】
第１１観点に係る通信端末プログラムは、室外機高さ情報及び室内機高さ情報を取得し、それらの情報を管理装置に送信することが可能な通信端末を提供できる。
【図面の簡単な説明】
【００３８】
【図１】本発明に係る高低差設定システム１の概念を示す模式図である。
【図２】本発明の第１実施形態に係る高低差設定システム１Ａの概念を示す模式図である。
【図３】第１実施形態に係る高低差設定システム１Ａの構成を示す模式図である。
【図４】第１実施形態に係る高低差設定システム１Ａにおける高低設定の動作を示すシーケンス図である。
【図５】本発明の第２実施形態に係る高低差設定システム１Ｂの概念を示す模式図である。
【図６】第２実施形態に係る高低差設定システム１Ｂの構成を示す模式図である。
【図７】第２実施形態に係る高低差設定システム１Ｂにおける高低差設定の動作を示すシーケンス図である。
【図８】変形例２Ａに係る高低差設定システム１Ｂの構成を示す模式図である。
【図９】変形例２Ｂに係る高低差設定システム１Ｂの概念を示す模式図である。
【図１０】変形例２Ｂに係る高低差設定システム１Ｂの構成を示す模式図である。
【図１１】変形例２Ｄに係る高低差設定システム１Ｂの概念を示す模式図である。
【図１２】変形例２Ｄに係る高低差設定システム１Ｂの構成を示す模式図である。
【図１３】変形例２Ｄに係る室内機高さ情報及び室外機高さ情報と識別情報との関連付けの構成を示す模式図である。
【図１４】本発明の第３実施形態に係る高低差設定システム１Ｃの概念を示す模式図である。
【図１５】第３実施形態に係る高低差設定システム１Ｃの構成を示す模式図である。
【図１６】第３実施形態に係る設計情報Ｌの構成を示す模式図である。
【図１７】第３実施形態に係る高低差設定システム１Ｃにおける高低差設定の動作を示すシーケンス図である。
【図１８】変形例３Ａに係る高低差設定システム１Ｃの構成を示す模式図である。
【図１９】変形例３Ａに係る記憶部４３Ｃの構成を示す模式図である。
【図２０】本発明の第４実施形態に係る高低差設定システム１Ｄの構成を示す模式図である。
【図２１】本発明の第４実施形態に係る高低差設定システム１Ｄの構成を示す模式図である。
【図２２】本発明の第４実施形態に係る高低差設定システム１Ｄの構成を示す模式図である。
【発明を実施するための形態】
【００３９】
＜本発明の概念＞
図１は本発明に係る高低差設定システム１の概念を示す模式図である。本発明に係る高低差設定システム１は、複数の構成要素から実現されるものであり、構成要素間で情報が通信されることで、建物６に設置される空調機７を構成する室外機８及び室内機９の高低差に関する情報を設定する。なお、空調機７は、室外機８と、室外機８に関連付けられた１以上の室内機９とを有するものである。
【００４０】
具体的に、高低差設定システム１は、室外機高さ情報取得部２、室内機高さ情報取得部３、高低差設定部４、及び搬送能力調整部５として機能する構成要素を有する。
【００４１】
室外機高さ情報取得部２は、室外機８の設置場所の高さを示す室外機高さ情報を取得するものである。また、室外機高さ情報取得部２は、取得した室外機高さ情報を高低差設定部４に送出する。
【００４２】
室内機高さ情報取得部３は、室内機の設置場所の高さを示す室内機高さ情報を取得するものである。また、室内機高さ情報取得部３は、取得した室内機高さ情報を高低差設定部４に送出する。
【００４３】
高低差設定部４は、室外機高さ情報及び室内機高さ情報に基づいて、室外機８及び室内機９の高低差を設定するものである。また、高低差設定部４は、設定した高低差を搬送能力調整部５に送出する。
【００４４】
搬送能力調整部５は、高低差設定部により設定された高低差に基づいて、室外機８から室内機９に搬送する冷媒の搬送能力を調整するものである。
【００４５】
そして、上記各構成要素が分散して配置されて、本発明に係る高低差設定システム１としての機能を実現する。
【００４６】
以下、本発明に係る複数の実施形態を図面を用いて説明する。以下の説明では、既に説明した事項については略同一の符号を付し、重複する説明を省略することがある。また、各実施形態において、他の実施形態等と区別するために添え字Ａ〜Ｄを付して説明することがある。
【００４７】
なお、以下の説明で用いる図面には、当該実施形態の構成のみならず、他の実施形態の構成を点線で示すことがある。この場合、実線で示した部分が当該実施形態に関係する部分であり、点線で示した部分は当該実施形態に必ずしも関係する部分ではない。要するに、点線で示した部分は、理解を容易にするために便宜上示しているにすぎないものである。
【００４８】
＜第１実施形態＞
（１−１）高低差設定システム１Ａの構成
図２は本発明の第１実施形態に係る高低差設定システム１Ａの概念を示す模式図である。図３は第１実施形態に係る高低差設定システム１Ａの構成を示す模式図である。
【００４９】
本実施形態に係る高低差設定システム１Ａは管理装置４０Ａを具備する。そして、本実施形態に係る高低差設定システム１Ａでは、室外機高さ情報取得部２及び搬送能力調整部５が室外機８Ａに配置される。また、室内機高さ情報取得部３が室内機９Ａに配置される。また、高低差設定部４が管理装置４０Ａに配置される。
【００５０】
以下、本実施形態に係る高低差設定システム１Ａの構成についてさらに詳しく説明する。本実施形態に係る高低差設定システム１Ａは、室内通信装置１０Ａと、室外通信装置２０Ａと、集中機器３０Ａと、管理装置４０Ａとを備える。
【００５１】
室内通信装置１０Ａは、室内機９Ａに格納される装置であり、通信部１１Ａと、処理部１２Ａと、取得部１３Ａ（室内機高さ情報取得部３に相当）とを有する。また、室内通信装置１０Ａは図示しない記憶部を有しており、各種情報を保存する。
【００５２】
通信部１１Ａは、室外通信装置２０Ａと通信する。ただし、通信部１１Ａは、室外通信装置２０Ａのみならず、集中機器３０Ａ及び管理装置４０Ａと通信することも可能である。
【００５３】
処理部１２Ａは、室内通信装置１０Ａにおける各種情報処理を実行するものであり、室内機９Ａから取得する情報を室外通信装置２０Ａ等に送出する。
【００５４】
取得部１３Ａは、室内機９Ａの設置場所の高さを示す「室内機高さ情報」を取得するものである。取得部１３Ａは、気圧センサ、地磁気センサ、ＧＰＳセンサ等の高度センサにより実現される。
【００５５】
室外通信装置２０Ａは、室外機８Ａに格納される装置であり、通信部２１Ａと、処理部２２Ａと、取得部２３Ａ（室外機高さ情報取得部２に相当）とを有する。また、室外通信装置２０Ａは図示しない記憶部を有しており、各種情報を保存する。
【００５６】
通信部２１Ａは、室内通信装置１０及び集中機器３０Ａと通信するものである。ただし、通信部２１Ａは、集中機器３０を介さずに管理装置４０Ａと通信することも可能である。
【００５７】
処理部２２Ａは、室外通信装置２０における各種情報処理を実行するものであり、室内通信装置１０Ａから取得する情報を、集中機器３０Ａを介して管理装置４０Ａ等に送出する。また、処理部２２Ａは、搬送能力調整部２２２Ａ（搬送能力調整部５に相当）としての機能を有し、後述する管理装置４０Ａの高低差設定部４２１Ａ（高低差設定部４に相当）により設定された高低差に基づいて、室外機８Ａから室内機９Ａに搬送する冷媒の搬送能力を調整する。
【００５８】
取得部２３Ａは、室外機８Ａの設置場所の高さを示す「室外機高さ情報」を取得するものである。取得部２３Ａは、気圧センサ、地磁気センサ、ＧＰＳセンサ等の高度センサにより実現される。
【００５９】
集中機器３０Ａは、通信部３１Ａ及び処理部３２Ａを有し、室内通信装置１０Ａ、室外通信装置２０Ａ、及び管理装置４０Ａの間における通信を中継する。ここでは、通信部３１Ａは、室外通信装置２０Ａ又は管理装置４０Ａと通信するものであるが、通信部３１Ａは室内通信装置１０Ａと通信することも可能である。その他、集中機器３０Ａは図示しない記憶部を有しており、各種情報を保存する。なお、集中機器３０Ａでは、室外機８Ａ及び室内機９Ａに対する通信用アドレスを設定することができる。
【００６０】
管理装置４０Ａは、ネットワークを介して多数の空調機７Ａを管理するものであり、通信部４１Ａ及び処理部４２Ａを有する。また、管理装置４０Ａは図示しない記憶部を有しており、各種情報を保存する。
【００６１】
通信部４１Ａは、集中機器３０Ａと通信するものである。ただし、通信部４１Ａは、集中機器３０Ａを介さずに室内通信装置１０Ａ及び／又は室外通信装置２０Ａと通信することも可能である。通信部４１Ａを介して、管理装置４０Ａは室内機高さ情報及び室外機高さ情報を取得する。
【００６２】
処理部４２Ａは、管理装置４０Ａの各種情報処理を実行するものであり、高低差設定部４２１Ａ（高低差設定部４に相当）としての機能を有する。処理部４２Ａは、高低差設定部４２１Ａの機能により、室内通信装置１０Ａから取得した室内機高さ情報と、室外通信装置２０Ａから取得した室外機高さ情報とに基づいて、室外機８Ａ及び室内機９Ａの高低差を設定する。この際、処理部４２Ａは、室外機８Ａに複数の室内機９Ａが関連付けられている場合、室外機８Ａから最も高低差が大きくなる室内機９Ａと室外機８Ａとの高低差を設定する。そして、処理部４２Ａは、通信部４１Ａを介して、室外機８Ａ及び室内機９Ａの高低差の情報を室外通信装置２０Ａに送信する。
【００６３】
（１−２）高低差設定システム１Ａによる高低差設定
本実施形態に係る高低差設定システム１Ａにおける高低差設定について図４に示すシーケンス図を用いて説明する。
【００６４】
まず、現地作業員等により、建物６Ａの所定位置に、室外機８Ａ及び室内機９Ａが設置される。そして、室外機８Ａ及び室内機９Ａが試運転される。試運転では、室内機９Ａを一台ずつ運転し、対応している室外機８Ａが正常に運転するか否か、冷風及び温風が吹き出されるか否か、風向調節ボタン及び風量調節ボタンが機能するか否か等が確認される。
【００６５】
試運転の際には、室外機８Ａ及び室内機９Ａのそれぞれに格納された室内通信装置１０Ａ及び室外通信装置２０Ａが起動する。そして、室内通信装置１０Ａの取得部１３Ａ及び室外通信装置２０Ａの取得部２３Ａが、それぞれ室内機高さ情報及び室外機高さ情報を取得する（Ｓ１，Ｓ２）。ここで、室内通信装置１０は、室内機高さ情報を取得すると、その室内機高さ情報を室外通信装置２０に送出する。そして、室外通信装置２０が、室内機高さ情報及び室外機高さ情報を、集中機器３０を介して管理装置４０Ａに送信する。
【００６６】
管理装置４０Ａでは、処理部４２Ａが高低差設定部４２１Ａの機能により、室内機高さ情報及び室外機高さ情報に基づいて、室外機８及び室内機９の高低差を示す高低差情報を算出する（Ｓ３）。ここで、処理部４２Ａは、複数の室内機９Ａが室外機８Ａに関連付けられている場合、室外機８Ａから最も高低差が大きくなる室内機９Ａと室外機８Ａとの高低差情報を算出する。そして、管理装置４０Ａは、集中機器３０Ａを介して室外通信装置２０Ａに高低差情報を送信する。
【００６７】
室外通信装置２０Ａは高低差情報を受信すると、その高低差情報に応じて、室外機８Ａから室内機９Ａに搬送する冷媒の搬送能力を設定する（Ｓ４）。なお、室外通信装置２０Ａは、予め高低差情報と搬送能力の調整量との対応関係を示す対応情報をメモリ等に記憶しており、この対応情報に基づいて搬送能力を設定する。
【００６８】
なお、上記説明では、便宜上、ステップＳ１をステップＳ２よりも先に説明したが、ステップＳ２がステップＳ１よりも先に実行されてもよい。要するに、上述のステップＳ１の処理とステップＳ２の処理とは順不同である。
【００６９】
（１−３）特徴
以上説明したように、第１実施形態に係る高低差設定システム１Ａでは、室外機８Ａと、室外機８Ａに関連付けられた１以上の室内機９Ａとの高低差が、室外機８及び室内機９のいずれか一方又は両方と通信する管理装置４０Ａにより設定される。
【００７０】
そして、室内通信装置１０Ａの取得部１３Ａ（室内機高さ情報取得部）が、室内機９Ａの設置場所の高さを示す「室内機高さ情報」を取得する。また、室外通信装置２０Ａの取得部２３Ａ（室外機高さ情報取得部）が、室外機８Ａの設置場所の高さを示す「室外機高さ情報」を取得する。次に、管理装置４０Ａの高低差設定部４２１Ａが、室外機高さ情報及び室内機高さ情報に基づいて、室外機８Ａ及び室内機９Ａの高低差情報を算出して設定する。そして、室外通信装置２０Ａの搬送能力調整部２２２Ａが、管理装置４０Ａの高低差設定部４２１Ａにより設定された高低差に基づいて、室外機８Ａから室内機９Ａに搬送する冷媒の搬送能力を調整する。
【００７１】
したがって、本実施形態に係る高低差設定システム１Ａは、管理装置４０Ａにより、室外機高さ情報及び室内機高さ情報に基づいて、室外機８Ａ及び室内機９Ａの高低差設定を行なうことができる。そして、本実施形態に係る高低差設定システム１Ａは、この高低差に基づいて冷媒の搬送能力を調整するので、冷媒の搬送能力を適切な状態に設定できる。
【００７２】
補足すると、室外機８Ａで一番電力を消費するのは圧縮機である。この圧縮機に必要な仕事量、すなわち、冷媒を一回しするための搬送能力は、室外機８Ａ及び室内機９Ａを設置する場所に大きく依存する。なぜならば、低い所から高い所に冷媒を上げるためには、重力に抗する必要があるからである。そして、低い所から高い所に冷媒を上げるためには、より大きな搬送能力が必要となる。このような前提において、本実施形態に係る高低差設定システム１Ａでは、冷媒の搬送能力を適切な状態に調整するので、過剰な搬送能力の設定による電力消費の増加を回避できる。また、本実施形態に係る高低差設定システム１Ａでは、搬送能力の不足により生じる不適切な冷房運転又は暖房運転を回避できる。
【００７３】
また、本実施形態に係る高低差設定システム１Ａでは、室内通信装置１０Ａの取得部１３Ａ及び室外通信装置２０Ａの取得部２３Ａが、室外機８Ａ及び室内機９Ａを建物６Ａに設置する際に、室内機高さ情報及び室外機高さ情報を自動的に取得することができる。これにより、高低差設定システム１Ａは、（ｉ）高低差設定のための入力工数を減らすことができる、（ｉｉ）現地作業員が高低差設定を行なう際に入力ミスを無くすことができる、（ｉｉｉ）現地作業員により高低差設定が行なわれないという事態を回避できる、という効果を有する。
【００７４】
（１−４）変形例
（１−４−１）変形例１Ａ
上記説明では、室内通信装置１０Ａが室外通信装置２０Ａ及び集中機器３０Ａを介して管理装置４０Ａに室内機高さ情報を送信する構成としたが、室内通信装置１０Ａは、室外通信装置２０Ａを介さずに、集中機器３０Ａを介して管理装置４０Ａと通信する構成でもよい。さらに、室内通信装置１０Ａは、管理装置４０Ａと直接通信する構成でもよい。
【００７５】
（１−４−２）変形例１Ｂ
上記実施形態に係る高低差設定システム１Ａでは、室外機８Ａ及び室内機９Ａの高さ情報に基づいて高低差を設定するとしたが、高さ以外の情報を反映させて高低差を設定してもよい。例えば、室内通信装置１０の取得部１３Ａ及び室外通信装置２０の取得部２３Ａセンサの種類によっては高低差以外に、水平方向の距離の情報等も取得することができる。高低差設定システム１Ａは、これらの情報も加味した上で高低差設定をしてもよい。
【００７６】
＜第２実施形態＞
（２−１）高低差設定システム１Ｂの構成
図５は本発明の第２実施形態に係る高低差設定システム１Ｂの概念を示す模式図である。図６は第２実施形態に係る高低差設定システム１Ｂの構成を示す模式図である。
【００７７】
本実施形態に係る高低差設定システム１Ｂは通信端末５０Ｂを具備する。そして、本実施形態に係る高低差設定システム１Ｂでは、室外機高さ情報取得部２及び室内機高さ情報取得部３が通信端末５０Ｂに配置される。また、高低差設定部４が室外機８Ｂに配置される。
【００７８】
以下、本実施形態に係る高低差設定システム１Ｂの構成についてさらに詳しく説明する。本実施形態に係る高低差設定システム１Ｂは、室内通信装置１０Ｂと、室外通信装置２０Ｂと、通信端末５０Ｂとを備える。
【００７９】
室内通信装置１０Ｂは、室内機９Ｂに格納される装置であり、通信部１１Ｂを有する。通信部１１Ｂは、室外通信装置２０Ｂ及び通信端末５０Ｂと通信する。また、室内通信装置１０Ｂは図示しない記憶部を有しており、各種情報を保存する。
【００８０】
室外通信装置２０Ｂは、室外機８Ｂに格納される装置であり、通信部２１Ｂと、処理部２２Ｂとを有する。通信部２１Ｂは、室内通信装置１０Ｂ及び通信端末５０Ｂと通信する。処理部２２Ｂは、室外通信装置２０Ｂにおける各種情報処理を実行するものであり、高低差設定部２２１Ｂ（高低差設定部４に相当）及び搬送能力調整部２２２Ｂ（搬送能力調整部５に相当）としての機能を有する。すなわち、処理部２２Ｂは、後述する通信端末５０Ｂにより取得された室外機高さ情報及び室内機高さ情報に基づいて室外機８Ｂ及び室内機９Ｂの高低差を設定し、室外機８Ｂから室内機９Ｂに搬送する冷媒の搬送能力を調整する。その他、室外通信装置２０Ｂは図示しない記憶部を有しており、各種情報を保存する。
【００８１】
通信端末５０Ｂは、室外機８Ｂ及び室内機９Ｂの高低差設定をする際に用いられる携帯可能な装置である。通信端末５０Ｂは、通信部５１Ｂと、処理部５２Ｂと、第１取得部５３Ｂ（室外機高さ情報取得部２に相当）と、第２取得部５４Ｂ（室内機高さ情報取得部３に相当）とを有する。なお、通信端末５０Ｂにおける各機能は、一般的なスマートデバイスに「通信端末プログラムＰ」をインストールさせることで実現できる。また、通信端末５０Ｂは、空調機７Ａの試運転作業を支援する支援ツール等のプログラムを有するものでもよい。このような支援ツールは、室外機８Ｂの冷媒漏れのチェック及び室内機９Ｂの吸込み温度のチェック等を行なう際に、現地作業員により利用される。
【００８２】
通信部５１Ｂは、室内通信装置１０Ｂ及び室外通信装置２０Ｂと通信するものである。通信部５１Ｂを介して、通信端末５０Ｂで取得される情報が室内通信装置１０Ｂ及び室外通信装置２０Ｂに送信される。
【００８３】
処理部５２Ｂは通信端末５０Ｂにおける各種情報処理を実行するものである。
【００８４】
第１取得部５３Ｂは、室外機８Ｂの設置場所の高さを示す「室外機高さ情報」を取得するものである。第１取得部５３Ｂは、ＧＰＳセンサ、地磁気センサ、気圧センサ等の高度センサにより実現される。
【００８５】
第２取得部５４Ｂは、室内機９Ｂの設置場所の高さを示す「室内機高さ情報」を取得するものである。第２取得部５４Ｂは、ＧＰＳセンサ、地磁気センサ、気圧センサ等の高度センサにより実現される。
【００８６】
記憶部５５Ｂを有しており、各種情報を保存するものである。この記憶部５５Ｂには、通信端末プログラムＰが記憶される。
【００８７】
（２−２）高低差設定システム１Ｂにおける高低差設定
本実施形態に係る高低差設定システム１Ｂにおける高低差設定について図７に示すシーケンス図を用いて説明する。
【００８８】
まず、現地作業員等により、建物６Ｂの所定位置に、室外機８Ｂ及び室内機９Ｂが設置される。そして、室外機８Ｂ及び室内機９Ｂが試運転される。試運転では、室内機９Ｂを一台ずつ運転し、対応している室外機８Ｂが正常に運転するか否か、冷風及び温風が吹き出されるか否か、風向調節ボタン及び風量調節ボタンが機能するか否か等が確認される。
【００８９】
試運転作業の際、現地作業員等は、通信端末５０Ｂを用いて室外機高さ情報及び室内機高さ情報を取得する。具体的には、現地作業員等が室外機８Ｂを設置したときに、通信端末５０Ｂが、第１取得部５３Ｂの機能により室外機高さ情報を取得し、取得した室外機高さ情報を室外通信装置２０Ｂに送信する（Ｔ１）。室外通信装置２０Ｂは室外高さ情報を受信して記憶する（Ｔ２）。
【００９０】
また、現地作業員等が室内機９Ｂを設置したときに、通信端末５０Ｂが、第２取得部５４Ｂの機能により室内機高さ情報を取得し、取得した室内機高さ情報を室内通信装置１０Ｂに送信する（Ｔ３）。室内通信装置１０Ｂは、室内機高さ情報を受信すると、その室内機高さ情報を室外通信装置２０Ｂに送出する（Ｔ４）。そして、室外通信装置２０Ｂが室内高さ情報を受信して記憶する（Ｔ５）。
【００９１】
次に、室外通信装置２０Ｂでは、処理部２２Ｂが高低差設定部２２１Ｂの機能により、室内機高さ情報及び室外機高さ情報に基づいて、室外機８Ｂ及び室内機９Ｂの高低差を示す高低差情報を算出する（Ｔ６）。ここで、処理部２２Ｂは、複数の室内機９Ｂが室外機８Ｂに関連付けられている場合、室外機８Ｂから最も高低差が大きくなる室内機９Ｂと室外機８Ｂとの高低差情報を算出する。そして、室外通信装置２０Ｂは、算出した高低差情報に応じて、室外機８Ｂから室内機９Ｂに搬送する冷媒の搬送能力を設定する（Ｔ７）。なお、室外通信装置２０Ｂは、予め高低差情報と搬送能力の調整量との対応関係を示す対応情報をメモリ等に記憶しており、この対応情報に基づいて搬送能力を設定する。
【００９２】
なお、上記説明では、便宜上、ステップＴ１，Ｔ２をステップＴ３，Ｔ４よりも先に説明したが、ステップＴ３，Ｔ４がステップＴ１，Ｔ２よりも先に実行されてもよい。要するに、上述のステップＴ１，Ｔ２の処理と、ステップＴ３，Ｔ４の処理とは順不同である。
【００９３】
（２−３）特徴
以上説明したように、第２実施形態に係る高低差設定システム１Ｂでは、室外機８Ｂと、室外機８Ｂに関連付けられた１以上の室内機９Ｂとの高低差が、室外機８Ｂ及び室内機９Ｂと通信可能な所定の通信端末５０Ｂを用いて設定される。
【００９４】
そして、通信端末５０Ｂの第１取得部５３Ｂ（室外機高さ情報取得部）が、室外機８Ｂの設置場所の高さを示す「室外機高さ情報」を取得する。また、通信端末５０Ｂの第２取得部５４Ｂ（室内機高さ情報取得部）が、室内機９Ｂの設置場所の高さを示す「室内機高さ情報」を取得する。次に、室外通信装置２０Ｂの高低差設定部２２１Ｂが、室外機高さ情報及び室内機高さ情報に基づいて、室外機８Ｂ及び室内機９Ｂの高低差を設定する。そして、室外通信装置２０Ｂの搬送能力調整部２２２Ｂが、高低差設定部２２１Ｂにより設定された高低差に基づいて、室外機８Ｂから室内機９Ｂに搬送する冷媒の搬送能力を調整する。
【００９５】
要するに、本実施形態に係る高低差設定システム１Ｂは、通信端末５０Ｂを利用して室外機高さ情報及び室内機高さ情報を取得できる。そして、本実施形態に係る高低差設定システム１Ｂは、これらの室外機高さ情報及び室内機高さ情報に基づいて室外機８Ｂ及び室内機９Ｂの高低差を設定できるので、この高低差に基づいて冷媒の搬送能力を適切な状態に設定できる。換言すると、本実施形態に係る高低差設定システム１Ｂでは、冷媒の搬送能力を適切な状態に調整するので、過剰な搬送能力の設定による電力消費の増加を回避できる。また、本実施形態に係る高低差設定システム１Ｂでは、搬送能力の不足により生じる不適切な冷房運転又は暖房運転を回避できる。
【００９６】
また、本実施形態に係る高低差設定システム１Ｂでは、通信端末５０Ｂの第１取得部５３Ｂ及び第２取得部５４Ｂが、室外機８Ｂ及び室内機９Ｂを建物６Ｂに設置する際に、室内機高さ情報及び室外機高さ情報を自動的に取得することができる。これにより、高低差設定システム１Ｂは、（ｉ）高低差設定のための入力工数を減らすことができる、（ｉｉ）現地作業員が高低差設定を行なう際に入力ミスを無くすことができる、（ｉｉｉ）現地作業員により高低差設定が行なわれないという事態を回避できる、という効果を有する。
【００９７】
（２−４）変形例
（２−４−１）変形例２Ａ
上記説明では、室内機高さ情報が、通信端末５０Ｂから、室内機９Ｂに配置された室内通信装置１０Ｂを経由して、室外機８Ｂに配置された室外通信装置２０Ｂに送信される構成としたが、本実施形態に係る高低差設定システム１Ｂはこの構成に限られるものではない。
【００９８】
例えば、本実施形態に係る高低差設定システム１Ｂは、通信端末５０Ｂが、室内機高さ情報及び室外機高さ情報を記憶しておき、これらの室内機高さ情報及び室外機高さ情報を、後から一括して室外通信装置２０Ｂに送信する構成でもよい。これにより、図８に示すように、室内通信装置１０Ｂと、通信端末５０Ｂ及び室外通信装置２０Ｂとの通信を省略することができる。
【００９９】
（２−４−２）変形例２Ｂ
また、本実施形態に係る高低差設定システム１Ｂは、室内機高さ情報が、図９，１０に示すように、室内機９を操作するリモートコントローラ９ａを介して送信される構成としてもよい。ここで、リモートコントローラ９ａは、近距離無線通信機能（ＮＦＣ機能）を有しており、周辺機器との無線通信が可能である。
【０１００】
（２−４−３）変形例２Ｃ
上記説明では、通信端末５０ＢがＧＰＳセンサ等により室外機高さ情報及び室内機高さ情報を取得するとしたが、本実施形態に係る高低差設定システム１Ｂはこの構成に限られるものではない。例えば、室内機９Ｂの表面等に、その室内機９Ｂに対応する室内機高さ情報を含む二次元コードが表示されている場合、通信端末５０Ｂは、その二次元コードを読み取ることにより、室内機高さ情報を取得するものでもよい。この場合、通信端末５０Ｂの第２取得部５４Ｂが二次元コード読取機等により実現される。
【０１０１】
このような二次元コード（例えばＱＲコード（登録商標）等）を利用可能とすることで、室内機高さ情報を容易に取得できる。これにより、現地作業員の作業負荷を軽減し得る高低差設定システム１Ｂを提供することができる。
【０１０２】
（２−４−４）変形例２Ｄ
本実施形態に係る高低差設定システム１Ｂは、集中機器３０Ｂ及び管理装置４０Ｂをさらに具備する構成でもよい。
【０１０３】
図１１は本発明の変形例２Ｄに係る高低差設定システム１Ｂの概念を示す模式図である。図１２は変形例２Ｄに係る高低差設定システム１Ｂの構成を示す模式図である。
【０１０４】
本変形例２Ｄに係る高低差設定システム１Ｂでは、通信端末５０Ｂが、室外機８Ｂ及び室内機９Ｂの識別情報Ｄに関連付けて、図１３に示すような内容の室内機高さ情報及び室外機高さ情報を管理装置４０Ｂに送信する。そして、管理装置４０Ｂが、室内機高さ情報及び室外機高さ情報を、集中機器３０Ｂを介して室外通信装置２０Ｂに送信する。この際、集中機器３０Ｂは、識別情報Ｄに基づいて室外機８Ｂ及び室内機９Ｂを認識する。なお、識別情報Ｄは集中機器３０Ｂ及び／又は通信端末５０Ｂを介して設定可能なものである。
【０１０５】
本変形例２Ｄに係る高低差設定システムでは、上記構成を具備するので、通信端末５０Ｂは、室外通信装置２０Ｂ及び室内通信装置１０Ｂと直接通信せずに、管理装置４０Ｂ及び集中機器３０Ｂを経由して室外通信装置２０Ｂに情報を送信することができる。
【０１０６】
（２−４−５）変形例２Ｅ
上記説明では、通信端末５０Ｂの第１取得部５３Ｂ及び第２取得部５４Ｂが、ＧＰＳセンサ、地磁気センサ、気圧センサ等の高度センサにより実現されるとしたが、本実施形態に係る高低差設定システム１Ｂはこの構成に限られるものではない。例えば、通信端末５０Ｂの第１取得部５３Ｂ及び第２取得部５４Ｂは、高さ選択画面等を表示部に表示し、建物６Ｂの階数設定等の入力を受け付け、その階数設定により見積もられる高さ情報を、室外機高さ情報及び室内機高さ情報として取得するものでもよい。
【０１０７】
＜第３実施形態＞
（３−１）高低差設定システム１Ｃの構成
図１４は本発明の第３実施形態に係る高低差設定システム１Ｃの概念を示す模式図である。図１５は第３実施形態に係る高低差設定システム１Ｃの構成を示す模式図である。
【０１０８】
本実施形態に係る高低差設定システム１Ｃは管理装置４０Ｃを具備する。そして、本実施形態に係る高低差設定システム１Ｃでは、室外機高さ情報取得部２及び室内機高さ情報取得部３が管理装置４０Ｃに配置される。また、高低差設定部４及び搬送能力調整部５が室外通信装置２０Ｃに配置される。
【０１０９】
以下、本実施形態に係る高低差設定システム１Ｃの構成についてさらに詳しく説明する。本実施形態に係る高低差設定システム１Ｃは、室外通信装置２０Ｃと、集中機器３０Ｃと、管理装置４０Ｃとを備える。
【０１１０】
室外通信装置２０Ｃは、室外機８Ｃに格納される装置であり、通信部２１Ｃと、処理部２２Ｃとを有する。また、室外通信装置２０Ｃは図示しない記憶部を有しており、各種情報を保存する。
【０１１１】
通信部２１Ｃは、集中機器３０Ｃと通信するものである。ただし、通信部２１Ｃは、集中機器３０Ｃを介さずに管理装置４０Ｃと通信することも可能である。
【０１１２】
処理部２２Ｃは、室外通信装置２０Ｃにおける各種情報処理を実行するものであり、高低差設定部２２１Ｃ（高低差設定部４に相当）及び搬送能力調整部２２２Ｃ（搬送能力調整部５に相当）としての機能を有する。すなわち、処理部２２Ｃは、後述する管理装置４０Ｃにより取得された室外機高さ情報及び室内機高さ情報に基づいて室外機８Ｃ及び室内機９Ｃの高低差を設定し、室外機８Ｂから室内機９Ｃに搬送する冷媒の搬送能力を調整する。
【０１１３】
集中機器３０Ｃは、通信部３１Ｃ及び処理部３２Ｃを有し、室外通信装置２０Ｃ及び管理装置４０Ｃの間における通信を中継する。また、集中機器３０Ｃは図示しない記憶部を有しており、各種情報を保存する。
【０１１４】
管理装置４０Ｃは、ネットワークを介して多数の空調機７Ｃを管理するものであり、通信部４１Ｃ、処理部４２Ｃ、及び記憶部４３Ｃを有する。
【０１１５】
通信部４１Ｃは、集中機器３０Ｃと通信するものである。ただし、通信部４１Ｃは、集中機器３０Ｃを介さずに室外通信装置２０Ｃと通信することも可能である。通信部４１Ｃを介して、管理装置４０Ｃは室内機高さ情報及び室外機高さ情報を室外通信装置２０Ｃに送信する。
【０１１６】
処理部４２Ｃは、管理装置４０Ｃの各種情報処理を実行するものであり、室外機高さ情報取得部４２２Ｃ（室外機高さ情報取得部２に相当）及び室内機高さ情報取得部４２３Ｃ（室内機高さ情報取得部３に相当）としての機能を有する。これらの機能により、処理部４２Ｃは、後述する設計情報Ｌから室内機高さ情報及び室外機高さ情報を抽出する。
【０１１７】
記憶部４３Ｃは、揮発性メモリ及び不揮発性メモリ等により構成され、室外機８Ｃ及び室内機９Ｃが設置される建物６Ｃの「設計情報Ｌ」を記憶する。ここで、設計情報Ｌは、図１６に示すように、室外機８Ｃ及び室内機９Ｃを一意に特定し得る「識別情報Ｄ」に関連付けられた室外機高さ情報及び室内機高さ情報を含む情報である。なお、設計情報Ｌは、ネットワークで接続された外部システム６０Ｃ等から取得することが可能なものである。また、設計情報Ｌは、例えばＣＡＤなどで利用可能な画像データの形式で保存される。なお、記憶部４３Ｃは、その他の各種情報を保存する。
【０１１８】
（３−２）高低差設定システム１Ｃによる高低差設定
本実施形態に係る高低差設定システム１Ｃにおける高低差設定について図１７のシーケンス図を用いて説明する。
【０１１９】
前提として、管理装置４０Ｃは、ネットワークを通じて外部システム６０Ｃ等から設計情報を取得する（Ｕ１）。このときの設計情報に含まれる室外機高さ情報及び室内機高さ情報には、任意の識別情報が関連付けられている。また、管理装置４０Ｃは、集中機器３０Ｃの初期設定時に、室外機８Ｃ及び室内機９Ｃに対する通信用アドレスを取得する（Ｕ２）。そして、管理装置４０Ｃは、ステップＵ１で取得した識別情報と、ステップＵ２で取得した通信用アドレスとを関連付ける。これにより、図１６に示すような、室外機８Ｃ及び室内機９Ｃを一意に特定し得る識別情報に関連付けられた室外機高さ情報及び室内機高さ情報を含む設計情報が取得される。そして、管理装置４０Ｃは、このような設計情報を記憶部４３Ｃに記憶しておく（Ｕ３）。
【０１２０】
その後、現地作業員等により、建物６Ｃの所定位置に、室外機８Ｃ及び室内機９Ｃが設置されると、室外機８Ｃ及び室内機９Ｃが試運転される。試運転では、室内機９Ｃを一台ずつ運転し、対応している室外機８Ｃが正常に運転するか否か、冷風及び温風が吹き出されるか否か、風向調節ボタン及び風量調節ボタンが機能するか否か等が確認される。
【０１２１】
試運転の際に、現地作業員等により、室外通信装置２０Ｃから、集中機器３０Ｃを介して、管理装置４０Ｃに高低差設定要求が送信される（Ｕ４）。
【０１２２】
管理装置４０Ｃでは、高低差設定要求を受信すると、設置された室外機８Ｃに対応する室外機高さ情報、及び当該室外機８Ｃに関連付けられた室内機９Ｃの室内機高さ情報を、記憶部４３Ｃに記憶された設計情報Ｌから抽出する（Ｕ５）。そして、管理装置４０Ｃから集中機器３０Ｃを介して室外通信装置２０Ｃに、それらの室外機高さ情報及び室内機高さ情報が送信される。
【０１２３】
続いて、室外通信装置２０Ｃにおいて、処理部２２Ｃが高低差設定部２２１Ｃの機能により、室外機高さ情報及び室内機高さ情報に基づいて、室外機８Ｃ及び室内機９Ｃの高低差を示す高低差情報を算出する（Ｕ６）。ここで、処理部２２Ｃは、複数の室内機９Ｃが室外機８Ｃに関連付けられている場合、室外機８Ｃから最も高低差が大きくなる室内機９Ｃと室外機８Ｃとの高低差情報を算出する。そして、室外通信装置２０Ｃは、算出した高低差情報に応じて、室外機８Ｃから室内機９Ｃに搬送する冷媒の搬送能力を設定する（Ｕ７）。なお、室外通信装置２０Ｃは、予め高低差情報と搬送能力の調整量との対応関係を示す対応情報をメモリ等に記憶しており、この対応情報に基づいて搬送能力を設定する。
【０１２４】
（３−３）特徴
以上説明したように、第３実施形態に係る高低差設定システム１Ｃでは、室外機８Ｃと、室外機８Ｃに関連付けられた１以上の室内機９Ｃとの高低差が、室外機８Ｃ及び室内機９Ｃのいずれか一方又は両方と通信する管理装置４０Ｃにより管理される。
【０１２５】
ここで、本実施形態に係る高低差設定システム１Ｃでは、管理装置４０の記憶部４３Ｃ（設計情報記憶部）が、室外機８Ｃ及び室内機９Ｃが設置される建物６Ｃの「設計情報Ｌ」を記憶する。そして、管理装置４０Ｃの処理部４２が、室外機高さ情報取得部４２２Ｃの機能により、記憶部４３Ｃに記憶された設計情報Ｌに基づいて、室外機８Ｃの設置場所の高さを示す「室外機高さ情報」を取得する。また、管理装置４０Ｃの処理部４２が、室内機高さ情報取得部４２３Ｃの機能により、記憶部４３Ｃに記憶された設計情報Ｌに基づいて、室内機９Ｃの設置場所の高さを示す「室内機高さ情報」を取得する。また、室外通信装置２０Ｃの高低差設定部２２１Ｃが、室外機高さ情報及び室内機高さ情報に基づいて、室外機８Ｃ及び室内機９Ｃの高低差を設定する。そして、室外通信装置２０Ｃの搬送能力調整部２２２Ｃが、高低差設定部２２１Ｃにより設定された高低差に基づいて、室外機８Ｃから室内機９Ｃに搬送する冷媒の搬送能力を調整する。
【０１２６】
要するに、本実施形態に係る高低差設定システム１Ｃは、建物６Ｃの設計情報Ｌに基づいて室外機８Ｃ及び室内機９Ｃの高低差を設定できる。そして、本実施形態に係る高低差設定システム１Ｃは、この高低差に基づいて冷媒の搬送能力を調整するので、冷媒の搬送能力を適切な状態に設定できる。換言すると、本実施形態に係る高低差設定システム１Ｃでは、冷媒の搬送能力を適切な状態に調整するので、過剰な搬送能力の設定による電力消費の増加を回避できる。また、本実施形態に係る高低差設定システム１Ｃでは、搬送能力の不足により生じる不適切な冷房運転又は暖房運転を回避できる。
【０１２７】
また、本実施形態に係る高低差設定システム１Ｃでは、管理装置４０Ｃの処理部４２Ｃが、室外機高さ情報取得部４２２Ｃ及び室内機高さ情報取得部４２３Ｃの機能により、室外機８Ｃ及び室内機９Ｃを建物６Ｃに設置する際に、室内機高さ情報及び室外機高さ情報を自動的に取得することができる。これにより、高低差設定システム１Ｃは、（ｉ）高低差設定のための入力工数を減らすことができる、（ｉｉ）現地作業員が高低差設定を行なう際に入力ミスを無くすことができる、（ｉｉｉ）現地作業員により高低差設定が行なわれないという事態を回避できる、という効果を有する。
【０１２８】
（３−４）変形例
（３−４−１）変形例３Ａ
本実施形態に係る高低差設定システム１Ｃでは、管理装置４０Ｃが、設計情報Ｌとして、室外機８Ｃ及び室内機９Ｃを一意に特定し得る識別情報Ｄに関連付けられた室外機高さ情報及び室内機高さ情報を含む情報を記憶するものとしたが、本実施形態に係る高低差設定システム１Ｃはこの構成に限られるものではない。
【０１２９】
例えば、高低差設定システム１Ｃは、図１８に示すように、集中機器３０Ｃの処理部３２Ｃが識別情報設定部３２１Ｃの機能を有し、管理装置４０Ｃの処理部４２Ｃが識別情報変換部４２４Ｃの機能を有するものでもよい。
【０１３０】
集中機器３０Ｃの識別情報設定部３２１Ｃは、室外機８Ｃ及び室内機９Ｃを建物６Ｃに設置する際に、室外機８Ｃ及び室内機９Ｃのそれぞれに第１識別情報Ｄ１を設定する。ここで、第１識別情報Ｄ１は、室外機８Ｃ及び室内機９Ｃのそれぞれを一意に特定する識別情報である。
【０１３１】
管理装置４０Ｃの記憶部４３Ｃは、図１９に示すように、室外機８Ｃ及び室内機９Ｃに対して事前に設定された第２識別情報Ｄ２に関連付けて室外機高さ情報及び室内機高さ情報を含む「設計情報Ｌ」を記憶する。
【０１３２】
管理装置４０Ｃの室外機高さ情報取得部４２２Ｃ及び室内機高さ情報取得部４２３Ｃは、設計情報Ｌから、室外機８Ｃ及び室内機９Ｃに対して事前に設定された第２識別情報Ｄ２、並びに、第２識別情報Ｄ２に関連付けられた室外機高さ情報及び室内機高さ情報を取得する。なお、これらの情報は識別情報変換部４２４Ｃに送出される。
【０１３３】
管理装置４０Ｃの識別情報変換部４２４Ｃは、第２識別情報Ｄ２を第１識別情報Ｄ１に変換して、第１識別情報Ｄ１に関連付けられた室外機高さ情報及び室内機高さ情報を生成する。そして、識別情報変換部４２４Ｃは、第１識別情報Ｄ１に関連付けられた室外機高さ情報及び室内機高さ情報を、集中機器３０Ｃを経由して室外通信装置２０Ｃに送信する。
【０１３４】
したがって、変形例３Ａに係る高低差設定システム１Ｃでは、建物６Ｃの設計情報Ｌから事前に設定された第２識別情報Ｄ２を、室外機８Ｃ及び室内機９Ｃを設置する際に現地作業員等が設定した第１識別情報Ｄ１に変換するので、第２識別情報Ｄ２と第１識別情報Ｄ１とが同一でないときでも冷媒の搬送能力を適切な状態に設定できる。換言すると、設計情報Ｌが、作業者等が設定する第１識別情報Ｄ１とは異なる第２識別情報Ｄ２を含むものであっても、本変形例３Ａに係る高低差設定システム１Ｃでは、識別情報変換部４２４Ｃを有しているので、現地作業者等が設定した第１識別情報Ｄ１に関連付けて室外機高さ情報及び室内機高さ情報を取得することができる。
【０１３５】
（３−４−２）変形例３Ｂ
上記説明では、室外機８Ｃ及び室内機９Ｃの高さ情報に基づいて高低差を設定するとしたが、高さ以外の情報も反映させて高低差を設定してもよい。例えば、管理装置４０Ｃに記憶される「設計情報Ｌ」が冷媒配管の長さ及び冷媒配管の曲がる形状等の情報も含む場合には、これらの情報を踏まえて高低差を設定してもよい。これにより、さらに適切な高低差設定（冷媒の搬送能力）が可能となる。
【０１３６】
＜第４実施形態＞
本発明に係る第４実施形態に係る高低差設定システム１Ｄは、室外通信装置２０Ｄの処理部２２Ｄが監視部２２３Ｄ及び再設定部２２４Ｄとしての機能を有するものである。また、本実施形態に係る高低差設定システム１Ｄの他の構成については、第１実施形態〜第３実施形態に係る高低差設定システムと同様の構成である。
【０１３７】
したがって、本発明の第４実施形態に係る高低差設定システム１Ｄは、例えば図２０〜２２を示すような構成で実現される。図２０では、第１実施形に係る高低差設定システム１Ａと同様の構成を含むものを例示している。図２１では、第２実施形に係る高低差設定システム１Ｂと同様の構成を含むものを例示している。図２２では、第３実施形に係る高低差設定システム１Ｃと同様の構成を含むものを例示している。なお、本実施形態に係る高低差設定システム１Ｄはこれらの構成に限定されるものではなく、室外通信装置２０Ｄの処理部２２Ｄが監視部２２３Ｄ及び再設定部２２４Ｄとしての機能を有するものであれば任意の形態をとり得るものである。
【０１３８】
室外通信装置２０Ｄの処理部２２Ｄは、監視部２２３Ｄの機能により、室内機９Ｄの運転状況を定期的に監視する。
【０１３９】
室外通信装置２０Ｄの処理部２２Ｄは、再設定部２２４Ｄの機能により、監視部２２３Ｄにより監視される室内機９Ｄの運転状況に基づいて、室外機８Ｄと室内機９Ｄとの高低差を再設定する。
【０１４０】
室外通信装置２０Ｄの処理部２２Ｄは、搬送能力調整部２２２Ｄの機能により、再設定部２２４Ｄにより再設定された高低差に基づいて、室外機８Ｄから室内機９Ｄに搬送する冷媒の搬送能力を調整する。
【０１４１】
上記構成を具備することにより、本実施形態係る高低差設定システム１Ｄは、室内機９Ｄの運転状況に応じて高低差を定期的に再設定する。したがって、高低差設定システム１Ｄは、室外機８Ｄ及び室内機９Ｄを設置後に、室外機８Ｄから室内機９Ｄに搬送する冷媒の搬送能力を随時最適化する。
【０１４２】
要するに、本実施形態に係る高低差設定システム１Ｄでは、一度、高低差設定を行なった場合でも、冷媒の搬送能力が不適切な状態となることを回避できる。また、本実施形態に係る高低差設定システム１Ｄでは、冷媒の搬送能力を適切な状態に調整するので、過剰な搬送能力の設定による電力消費の増加を回避できる。また、本実施形態に係る高低差設定システム１Ｄでは、搬送能力の不足により生じる不適切な冷房運転又は暖房運転を回避できる。
【０１４３】
＜付記＞
なお、本発明は、上記各実施形態そのままに限定されるものではない。本発明は、実施段階ではその要旨を逸脱しない範囲で構成要素を変形して具体化できる。また、本発明は、上記各実施形態に開示されている複数の構成要素の適宜な組み合わせにより種々の発明を形成できるものである。例えば、実施形態に示される全構成要素から幾つかの構成要素は削除してもよいものである。さらに、異なる実施形態に構成要素を適宜組み合わせてもよいものである。
【符号の説明】
【０１４４】
１      高低差設定システム
２      室外機高さ情報取得部
３      室内機高さ情報取得部
４      高低差設定部
５      搬送能力調整部
６      建物
７      空調機
８      室外機
９      室内機
９ａ    リモートコントローラ
１０    室内通信装置
１１    通信部
１２    処理部
１３    取得部
２０    室外通信装置
２１    通信部
２２    処理部
２２１  高低差設定部
２２２  搬送能力調整部
２２３  監視部
２２４  再設定部
２３    取得部
３０    集中機器
３１    通信部
３２    処理部
３２１  識別情報設定部
４０    管理装置
４１    通信部
４２    処理部
４２１  高低差設定部
４２２  室外機高さ情報取得部
４２３  室内機高さ情報取得部
４２４  識別情報変換部
４３    記憶部
５０    通信端末
５１    通信部
５２    処理部
５３    第１取得部
５４    第２取得部
５５    記憶部
６０    外部システム
Ｄ１    第１識別情報
Ｄ２    第２識別情報
Ｌ      設計情報
Ｐ      通信端末プログラム
【先行技術文献】
【特許文献】
【０１４５】
【特許文献１】特開平１０−１５３３３５号公報
【図１】
2018173210.tif 000003
【図２】
2018173210.tif 000004
【図３】
2018173210.tif 000005
【図４】
2018173210.tif 000006
【図５】
2018173210.tif 000007
【図６】
2018173210.tif 000008
【図７】
2018173210.tif 000009
【図８】
2018173210.tif 000010
【図９】
2018173210.tif 000011
【図１０】
2018173210.tif 000012
【図１１】
2018173210.tif 000013
【図１２】
2018173210.tif 000014
【図１３】
2018173210.tif 000015
【図１４】
2018173210.tif 000016
【図１５】
2018173210.tif 000017
【図１６】
2018173210.tif 000018
【図１７】
2018173210.tif 000019
【図１８】
2018173210.tif 000020
【図１９】
2018173210.tif 000021
【図２０】
2018173210.tif 000022
【図２１】
2018173210.tif 000023
【図２２】
2018173210.tif 000024
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
室外機（８，８Ａ）と、前記室外機に関連付けられた１以上の室内機（９，９Ａ）との高低差が、前記室外機及び前記室内機のいずれか一方又は両方と通信する管理装置（４０Ａ）により設定される高低差設定システム（１，１Ａ）であって、
前記室外機の設置場所の高さを示す室外機高さ情報を取得する室外機高さ情報取得部（２，２３Ａ）と、
前記室内機の設置場所の高さを示す室内機高さ情報を取得する室内機高さ情報取得部（３，１３Ａ）と、
前記室外機高さ情報及び前記室内機高さ情報に基づいて、前記室外機及び前記室内機の高低差を設定する高低差設定部（４，４２１Ａ）と、
前記高低差設定部により設定された高低差に基づいて、前記室外機から前記室内機に搬送する冷媒の搬送能力を調整する搬送能力調整部（５，２２２Ａ）と、
を備え、
前記室外機高さ情報取得部及び前記搬送能力調整部は、前記室外機に配置され、
前記室内機高さ情報取得部は、前記室内機に格納され、
前記高低差設定部は、前記管理装置に配置される、
高低差設定システム。
【請求項２】
室外機（８，８Ｂ）と、前記室外機に関連付けられた１以上の室内機（９，９Ｂ）との高低差が、前記室外機及び前記室内機と通信可能な所定の通信端末（５０Ｂ）を用いて設定される高低差設定システム（１，１Ｂ）であって、
前記室外機の設置場所の高さを示す室外機高さ情報を取得する室外機高さ情報取得部（２，５３Ｂ）と、
前記室内機の設置場所の高さを示す室内機高さ情報を取得する室内機高さ情報取得部（３，５４Ｂ）と、
前記室外機高さ情報及び前記室内機高さ情報に基づいて、前記室外機及び前記室内機の高低差を設定する高低差設定部（４，２２１Ｂ）と、
前記高低差設定部により設定された高低差に基づいて、前記室外機から前記室内機に搬送する冷媒の搬送能力を調整する搬送能力調整部（５，２２２Ｂ）と、
を備え、
前記室外機高さ情報取得部及び前記室内機高さ情報取得部は、前記通信端末に配置され、
前記高低差設定部及び前記搬送能力調整部は、前記室外機に配置され、
前記室内機高さ情報が、前記通信端末から前記室内機を経由して前記室外機に送信される、
高低差設定システム。
【請求項３】
前記室内機には、周辺機器と無線通信が可能なリモートコントローラ（９ａ）が接続されており、
前記室内機高さ情報が、前記通信端末から前記リモートコントローラに無線通信を介して送信され、前記リモートコントローラ及び前記室内機を経由して前記室外機に送信される、
請求項２に記載の高低差設定システム。
【請求項４】
前記室外機及び前記室内機は、前記室外機と通信する管理装置（４０Ｂ）により管理されるものであり、
前記管理装置は、所定の通信端末と通信可能なものであり、
前記室外機高さ情報取得部及び前記室内機高さ情報取得部は、前記通信端末に配置され、
前記高低差設定部は、前記室外機に配置され、
前記室外機高さ情報及び前記室内機高さ情報が、前記通信端末から前記管理装置を経由して前記室外機に送信される、
請求項２または３に記載の高低差設定システム。
【請求項５】
前記室内機には対応する室内機高さ情報を含む二次元コードが表示されており、
前記室内機高さ情報取得部は、前記二次元コードを読み取ることにより、前記室内機高さ情報を取得する、
請求項４に記載の高低差設定システム。
【請求項６】
室外機（８，８Ｃ）と、前記室外機に関連付けられた１以上の室内機（９，９Ｃ）との高低差が、前記室外機及び前記室内機のいずれか一方又は両方と通信する管理装置（４０Ｃ）により設定される高低差設定システム（１，１Ｃ）であって、
前記室外機の設置場所の高さを示す室外機高さ情報を取得する室外機高さ情報取得部（２，４２２Ｃ）と、
前記室内機の設置場所の高さを示す室内機高さ情報を取得する室内機高さ情報取得部（３，４２３Ｃ）と、
前記室外機高さ情報及び前記室内機高さ情報に基づいて、前記室外機及び前記室内機の高低差を設定する高低差設定部（４，２２１Ｃ）と、
前記高低差設定部により設定された高低差に基づいて、前記室外機から前記室内機に搬送する冷媒の搬送能力を調整する搬送能力調整部（５，２２２Ｃ）と、
前記室外機及び前記室内機が設置される建物の設計情報（Ｌ）を記憶する設計情報記憶部（４３Ｃ）と、
を備え、
前記室外機高さ情報取得部及び前記室内機高さ情報取得部は、前記設計情報に基づいて前記室外機高さ情報及び前記室内機高さ情報を取得するものであり、
前記設計情報記憶部、前記室外機高さ情報取得部、及び前記室内機高さ情報取得部は、前記管理装置に配置され、
前記高低差設定部及び前記搬送能力調整部は、前記室外機に配置される、
高低差設定システム。
【請求項７】
前記設計情報記憶部は、前記設計情報として、前記室外機及び前記室内機に対して事前に設定された第２識別情報（Ｄ２）を記憶するものであり、
前記室外機高さ情報取得部及び前記室内機高さ情報取得部は、前記設計情報から、前記室外機及び前記室内機に対して事前に設定された第２識別情報、並びに、前記第２識別情報に関連付けられた室外機高さ情報及び室内機高さ情報を取得するものであり、
前記室外機及び前記室内機を前記建物に設置する際に、前記室外機及び前記室内機のそれぞれに第１識別情報（Ｄ１）を設定する識別情報設定部（３２１Ｃ）と、
前記第２識別情報を前記第１識別情報に変換して、前記第１識別情報に関連付けられた室外機高さ情報及び室内機高さ情報を取得する識別情報変換部（４２４Ｃ）と、
をさらに備え、
前記識別情報設定部が、前記室外機及び前記管理装置に接続される設定装置に配置され、
前記識別情報変換部が、前記管理装置に配置される、
請求項６に記載の高低差設定システム。
【請求項８】
前記室内機（９，９Ｄ）の運転状況を監視する監視部（２２３Ｄ）と、
前記運転状況に基づいて、前記室外機と前記室内機との高低差を再設定する再設定部（２２４Ｄ）と、
をさらに備え、
前記搬送能力調整部が、前記再設定部により再設定された高低差に基づいて、前記室外機から前記室内機に搬送する冷媒の搬送能力を調整する、
請求項１から７に記載の高低差設定システム（１，１Ｄ）。
【請求項９】
請求項２または３に記載の高低差設定システム（１Ｂ）で用いられる前記通信端末を動作させるための通信端末プログラム（Ｐ）であって、前記通信端末のコンピュータを、前記室外機及び前記室内機と通信する通信部（５１Ｂ）、前記室外機高さ情報取得部（５３Ｂ）、及び前記室内機高さ情報取得部（５４Ｂ）、として機能させるための通信端末プログラム。
【請求項１０】
請求項４または５に記載の高低差設定システム（１Ｂ）で用いられる前記通信端末を動作させるための通信端末プログラム（Ｐ）であって、前記通信端末のコンピュータを、前記管理装置（４０Ｂ）と通信する通信部（５１Ｂ）、前記室外機高さ情報取得部（５３Ｂ）、及び前記室内機高さ情報取得部（５４Ｂ）、として機能させるための通信端末プログラム。